(57)【要約】【課題】  ソーラーパネル等パネル材の受け架台を屋根面の勾配に可変に対応させ、防水の目的から屋根棟部の棟カバーの中へ取り付ける。【解決手段】  鉄棹を用いた架台の取付装置あって、鉄棹の両先端部を平坦に加工した  Ｊには防水リング付コーチボルトＡを用い屋根面から垂木１に固定し、Ｅにはボルト貫通孔を設け螺子切加した鉄棹Ｃの先端部Ｏを貫入させナットＴにて接合し構成した。  取付装置の左右の鉄棹Ｂ及びＣはＯを中心に角度が無段階に可変し屋根勾配に合わせ可変対応することができ、棟カバー内部に収めるため、鉄棹を用いていることで小型化が図れたことを特徴とする。【選択図】図１
2012172507.tif 000002
【特許請求の範囲】
【請求項１】
屋根棟部に設置するパネル等の架台取付装置であって、
角度を変え平坦に加工し孔開けした両先端を有する鉄棹と角度を変え直角に折曲し螺子切りした両先端の一方をその平坦に加工され孔開けされた鉄棹の孔に挿入しナット締めにより二本の鉄棹を接合する。
左右の鉄棹を可動状態にし、取り付け面の勾配に可変対応させられることを特徴とするパネル等架台の取付装置。
【請求項２】
小型軽量化を図るため二本の鉄棹を採用し、屋根棟部の棟カバー内部に収め、加工鉄棹による可動構造を用いたことを特徴とする請求項１記載のパネル等の架台取付装置。
【発明の詳細な説明】
【技術分野】
【０００１】  本発明は、建築物の勾配を有する小屋組み等の屋根面構成材である屋根葺き材、野地合板を介し構造部材にソーラーパネル、温水パネル材等面状部材を屋根面及び下部の構造部材である垂木等に取り付ける場合に使用する取付装置に関する。
【背景技術】
【０００２】  木造建築物の屋根を構成する小屋組みの架構方法には多種の方法がある。
その小屋組みを構成する構造部材も木材、鋼材等とその架構方法により選択されている。【０００３】  特に木造建築物及び勾配屋根の場合、垂木材に木材を使用する都合上、屋根面からの雨水等の水の侵入により構造部材に発生する腐蝕等は、致命的な欠陥を建築物に与えることになる。
また鉄骨建築物等に於いても垂木に木材を使用する場合は同様である。【０００４】  エコロジーの観点から近年ソーラーパネルや温水パネル等を屋根面に設置し、ソーラーパネルによる自家発電や太陽熱による温水利用を行っており、自宅で電気を生み出したり、温水を化石燃料に頼らず生じさせるケースも増大している。【０００５】  このため、新築家屋や既存家屋等の建築物の屋根にソーラーパネルや温水パネル等を設置し発電したり、温水を得ている。
ソーラーセルを組み込んだ屋根葺材を使用する以外は、其れらソーラーパネルや温水パネルは屋根面から浮かせた状態で架台を組み屋根葺材に影響を及ぼさない様な取り付け方法により設置されている。【０００６】  然しながら、この方法は架台の取付部材等を屋根面から釘、ビス、ボルト等の螺子により受金物を固定し架台を固定するため、少なからず雨水等の侵入する恐れがあり、この被害が発生していることも事実である。【０００７】  また屋根には意匠性、雨水の侵入を防ぐ目的から屋根面に勾配をつけているが、この勾配も取付装置や部材が勾配に対応していない場合は、屋根葺材と取付部材の隙間からの雨水等の水の侵入の危険性が生じている。
【発明の開示】
【発明が解決しようとする課題】
【０００８】  上述の如く、従来技術に係る架台の取付方法は、釘、ビス等を用いて屋根面に受け金物を取り付け架台を固定しソーラーパネルや温水パネルを取り付ける等の方法によっている。【０００９】  是によると、ソーラーパネル温水パネルの重量により屋根下方に向かい荷重が掛かり、屋根上面の屋根葺材表面から釘又はビス等固定のための固定孔を開けた場合、この固定孔周囲に係る荷重により屋根材の破損等が生じ雨水等の侵入の原因ともなっている。【００１０】  この固定孔、及び周囲からの雨水等の侵入を防ぐため、シーリング剤等を用いこれ等の孔の隙間を塞いできたが、孔が大きければ大きいほど完全に塞ぐことが難しく、雨水等の侵入を防ぐことが困難となっている。
この結果、侵入した雨水等の水は小屋組内の断熱材等に浸みこみ断熱効果を低減させたり、小屋組構造部材を腐らせたり錆びさせる等の原因となっている。【００１１】  本発明は斯様な状況を鑑みて成されたものであり、その目的は多種の架構方法や勾配を有する小屋組みに対し可変に対応し、新築建築物、既存建築物の種別を問わず、架台の取り付けによるビス等の固定孔からの雨水等の水の侵入の危険性を無くすることにある。
【課題を解決するための手段】
【００１２】  上述の目的を達成する本発明の架台の取付装置は屋根棟部に取り付けるものであって、円形鉄棹の両端を９０度折曲した円形鉄棹と両端の各々を９０度方向を変え平坦に加工しその中央部に孔を穿った円形鉄棹から成る。
一方の円形鉄棹の孔にもう一方のその両端の角度を変え９０度折曲した円形鉄棹のその折曲げ螺子切りした先端部分をもう一方の先端平坦部分の孔に通しナットにより螺合し構成したものであり、その主要構成部を円形鉄棹により構成したことを特徴とする。【００１３】  一例として、架台取付装置の屋根棟部での取り付け傾斜角はその螺合部が回転して傾斜角に対し無段階に同期し屋根面から取付ボルトが垂直に起立するため、取り付けられる架台は屋根面の勾配に対し同角度で屋根面に沿い取り付けられることになる。
【発明の効果】
【００１４】  以上説明したように本発明によれば、屋根勾配に対応できること、及び棟カバー内部に取り付けられ屋根面の屋根葺材に及ぼす影響も少なく雨水侵入のリスクを低減させることができるうえ鉄棹のみにて構成され小型化軽量化が図られるため非常に扱い易い。
【発明を実施するための最良の形態】
【００１５】  以下、本発明実施の形態を図面に基づき詳細に説明する。【００１６】  図１〜図２は本発明の実施の形態に係り、図１は架台取付装置と架台の取り付け状態を示す中央部部分断面図、図２は組み合わせられた架台取付装置の外観斜視図、である。【００１７】  図中１は垂木を示し、２は野地板、３は屋根葺材、４は防水シート、５は棟カバー、６はパネル等取付架台を示す。【００１８】  図１に示すように、架台取付装置は棟中央部で架台取付装置中央の接合部を左右両側の屋根勾配に合せ、左右両側の屋根面に沿わす形で設置し防水リング付コーチボルトＡ、固定ビスＳ１により屋根葺材３の上面の防水パッキンＰと屋根葺材３の下部の野地板２、防水シート４を介し小屋組み垂木１にビスＳ１を以て取り付けられている。【００１９】  架台取付装置の円形鉄棹Ｂの先端の平坦部Ｊの直上直下には防水ゴムパッキンが付帯され、この防水ゴムパッキンにはガイド孔は開けられていないため、取り付けビスを締め込むことにより圧迫され変形し屋根面に密着すると同時にビス外周にも密着しビス孔Ｙ１，Ｙ２，Ｙ３からの雨水等の侵入を防止している。【００２１】  又、この防水パッキンは防水リング付コーチボルトＡ及び固定ビスＳ１が締め込まれた場合、変形することにより屋根面への緩衝材にもなり、取り付け時のビス止めによって生じる圧力に対しても屋根葺材への影響を減じ保護する効果がある。
本発明の棟部の架台取付装置の円形鉄棹Ｂの先端平坦部Ｊは雨水の侵入を防止するため野地板２上に敷設されているルーフィング等防水シート４の上に取り付けられた防水リング付コーチボルトＡの防水リング上に設置され、ナットＫにて固定されている。
円形鉄棹Ｃも屋根勾配に合わせビスＳ２にて固定され取り付けられている。【００２２】  パネル等の取付架台６の取り付けは、本発明の架台取付装置の円形鉄棹Ｃの先端部Ｌを上方に９０度折曲げ鉄棹Ｃの先端を螺子切りしたもので、位置決めナットＧ１の上に設けたワッシャーＤ上に架台６は設置され鉄棹ＬとナットＧ２により螺合し結合されている。【００２３】  切妻屋根では左右屋根面の勾配が異なっても左右の屋根面が合掌組みされており、この合掌の棟部左右に架台取付装置の左右の円形鉄棹ＢとＣには、Ｂ側ではパネル等の重量により上方に向かう力が作用し、円形鉄棹Ｃ側では下方に向かう力となり左右両面に作用する力の方向が変わり力の分散が図れる。
【実施例】
【００２４】  この架台取付装置は屋根の勾配に対し無段階に可変に対応し、どの様な勾配屋根にも取り付ける事が出来る。
寄せ棟屋根等の場合には、取付装置はその勾配角にもよるが円形鉄棹ＢとＣの固定角度は直交する各屋根面の下方に向うが、防水リング付コーチボルトＡ及びビスＳ１、Ｓ２にて円形鉄棹Ｂ、Ｃを固定することにより安定した取り付け状態が得られ、従来取り付けに苦慮していた寄せ棟屋根にも簡易にパネル受け等の架台を取り付けることを可能にした。【００２５】  以上、本発明の実施の形態及び実施例を説明したが、本発明の範囲はこれに限定されるものではない。
例えば架台取付装置の材質をステンレス等を用いれば屋根面に露出させて取り付けることも可能であり、修理等維持管理もし易く平坦な陸屋根にも取り付けることが可能となる。
【産業上の利用の可能性】
【００２６】  本発明は木造建築物の販売やソーラーパネル、温水パネル等を販売、施工する産業分野で利用することができる。
【図面の簡単な説明】
【００２７】
【図１】  本発明の実施の形態に係る棟部架台取付装置と屋根、架台との関係を示す部分断面図である。
【図２】  架台取付装置の外観斜視図である。
【符号の説明】
【００２８】１                    垂木
２                    野地板
３                    屋根葺材
４                    防水シート
５                    棟カバー
６                    パネル取付架台
Ａ                    防水リング付コーチボルト
Ｂ                    円形鉄棹
Ｃ                    円形鉄棹
Ｄ                    ワッシャー
Ｅ                    円形鉄棹接合部
Ｆ                    架台取付側円形鉄棹立上部
Ｇ１                  位置決ナット
Ｇ２                  固定ナット
Ｈ                    固定ナット
Ｋ                    固定ナット
Ｊ                    架台取付装置固定部
Ｌ                    円形鉄棹先端螺子切部
Ｎ                    ワッシャー
Ｏ                    円形鉄棹先端接合ボルト
Ｐ                    防水パッキン
Ｑ                    枕パッキン
Ｒ                    防水リング
Ｓ１、Ｓ２            固定ビス
Ｔ                    接合部固定ナット
Ｕ                    ワッシャー
Ｖ                    パッキン
Ｙ１，Ｙ２，Ｙ３      ビス孔
【図１】
2012172507.tif 000003
【図２】
2012172507.tif 000004